(57)【要約】【課題】低コストで位置の特定精度を向上させることができる位置監視システムを提供する。【解決手段】位置監視システムは、それぞれ固有の識別子を有し互いに異なる位置に設置された複数の識別部材３０と、識別部材３０の識別子を読み取るリーダを有する携帯端末７０と、携帯端末７０から該携帯端末７０が読み取った識別子を特定する情報を受信し該情報に基づいて該携帯端末７０の位置を特定する監視装置６０とを備える。【選択図】図１
2009065470.tif 000002
【特許請求の範囲】
【請求項１】
位置監視システムであって、
それぞれ固有の識別子を有し互いに異なる位置に設置された複数の識別部材と、
前記識別部材の識別子を読み取るリーダを有する携帯端末と、
前記携帯端末から前記携帯端末が読み取った前記識別子を特定する情報を受信し該情報に基づいて前記携帯端末の位置を特定する監視装置と、
を備えることを特徴とする位置監視システム。
【請求項２】
前記携帯端末から前記監視装置への前記情報の送信が無線で行われる、ことを特徴とする請求項１に記載の位置監視システム。
【請求項３】
前記識別部材は、施設に設置されている、ことを特徴とする請求項１又は２に記載の位置監視システム。
【請求項４】
前記識別子は、バーコードを含む、ことを特徴とする請求項１乃至３のいずれか１項に記載の位置監視システム。
【請求項５】
前記監視装置は、前記識別子と、前記識別子を有する前記識別部材が設置された位置とを対応つける情報を含むテーブルを有し、前記テーブルを参照することによって前記携帯端末の位置を特定する、ことを特徴とする請求項１乃至４のいずれか１項に記載の位置監視システム。
【発明の詳細な説明】
【技術分野】
【０００１】
本発明は、人又は携帯端末の位置を監視する位置監視システムに関する。
【背景技術】
【０００２】
人の位置を監視するシステムとして、ＰＨＳ端末が複数のＰＨＳアンテナのうちどのＰＨＳアンテナのカバーエリア内に位置するかを特定するシステムがある。
【特許文献１】特開２００７−１３３６５５号公報
【特許文献２】特開２００２−０８７５４２号公報
【発明の開示】
【発明が解決しようとする課題】
【０００３】
上記のような位置監視システムでは、位置の特定精度は、ＰＨＳアンテナのカバーエリアの大きさに依存する。位置の特定精度を向上させようとすると、個々のＰＨＳアンテナのカバーエリアを狭くするとともに、より多くのＰＨＳアンテナを設置する必要がある。これが位置監視システムの設備費を高くする。そもそも、ＰＨＳを利用した位置監視システムは、通話のために必要な設備を利用することによって設備費を抑えることに優位性があるものである。よって、通話のために増設する必要がないＰＨＳアンテナを増設することは合理性を欠く選択肢である。
【０００４】
本発明は、上記の課題認識を基礎としてなされたものであり、例えば、低コストで位置の特定精度を向上させることができる位置監視システムを提供することを目的とする。
【課題を解決するための手段】
【０００５】
本発明の位置監視システムは、それぞれ固有の識別子を有し互いに異なる位置に設置された複数の識別部材と、前記識別部材の識別子を読み取るリーダを有する携帯端末と、前記携帯端末から前記携帯端末が読み取った前記識別子を特定する情報を受信し該情報に基づいて前記携帯端末の位置を特定する監視装置とを備える。
【発明の効果】
【０００６】
本発明によれば、例えば、低コストで位置の特定精度を向上させることができる位置監視システムを提供することができる。
【発明を実施するための最良の形態】
【０００７】
以下、添付図面を参照しながら本発明の好適な実施形態を説明する。
【０００８】
図１は、本発明の好適な実施形態の位置監視システムの概略構成を示す図である。本発明の好適な実施形態の位置監視システム１００は、施設１０に設置されて、携帯端末７０又はそれを所持している人の位置を監視する。
【０００９】
施設１０は、例えば、ブロック１２、１４、１６、１８、２０、２２、２４、２６を有しうる。ブロックは、例えば、部屋、空間又は領域等を意味する。施設１０内には、それぞれ固有の識別子（位置ＩＤ）を有し互いに異なる位置に設置された複数の識別部材３０が配置されている。図２は、識別部材３０を模式的に示す図である。識別部材３０は、識別子（位置ＩＤ）３２を有する。識別子３２は、例えば、リーダによって光学的に読み取り可能なバーコード等の媒体、電気的又は磁気的に読み取り可能な媒体を含みうるが、識別子３２は、設置コストの点でバーコードであることが好ましい。
【００１０】
この実施形態では、ブロック２６は、監視室として使用される。監視室としてのブロック２６には、監視装置６０が配置されている。監視装置６０は、携帯端末７０から該携帯端末７０が読み取った識別子（位置ＩＤ）を特定する情報を受信し該情報に基づいて該携帯端末７０の位置（結果として、それを所持している人の位置）を特定する。
【００１１】
図３は、携帯端末７０の構成例を示す図である。携帯端末７０は、識別子（位置ＩＤ）３２を読み取るためのリーダ７１と、自己の端末ＩＤを保持するメモリ７２と、送信部７３とを有し、リーダ７１で読み取った識別子（位置ＩＤ）３２と自己のメモリ７２に保持された端末ＩＤとを送信部７３によって監視装置６０に送信する。この送信は、典型的には、無線で行われる。
【００１２】
図４は、監視装置６０の構成例を示す図である。監視装置６０は、例えば、パーソナルコンピュータ等の情報処理装置２００と通信部（受信部）２７０とを接続して構成されうる。情報処理装置２００は、ＣＰＵ２１０、メモリ（例えば、ハードディスク）２２０、ＲＡＭ２３０、ディスプレイ２４０、入力装置（例えば、キーボード）２６０、インターフェース２５０等を備えうる。
【００１３】
メモリ２２０には、例えば、位置テーブル２２１、端末テーブル２２２、情報処理装置２００の機能を定義するためのプログラム（コンピュータ読み取り可能なプログラム）２２３を格納している。位置テーブル２２１は、図５に模式的に示すように、識別部材３０とそれが配置されている位置とを対応付ける情報を含む。端末テーブル２２２は、図６に模式的に示すように、携帯端末７０に割り当てられた固有の端末ＩＤとそれを所持する人の氏名（又は、人のＩＤ）とを付ける情報を含む。ＣＰＵ２１０は、プログラム２２３を実行することによって監視装置６０としての機能を提供する。
【００１４】
監視装置６０は、携帯端末７０からその端末ＩＤと、それが読み取った識別子（位置ＩＤ）３２を特定する情報とを受信すると、位置テーブル２２１を参照することによって、その識別子（位置ＩＤ）３２を有する識別部材３０が設置されている位置を特定する。監視装置６０はまた、端末テーブル２２２を参照することによって、その端末ＩＤを保持している人の氏名（又は、その人のＩＤ）を特定する。
【００１５】
そして、監視装置６０は、携帯端末７０および／またはそれを保持している人を特定する情報とその位置とをディスプレイ２４０に表示する。更に、監視装置６０は、以上のような情報を他の装置に伝送したり、メモリ２２０又は他のメモリに時刻情報とともに蓄積したりしうる。
【００１６】
本発明の好適な実施形態の位置監視システムによれば、監視装置６０又は当該他の装置を監視する監視員は、施設１０内の人が何処にいるかを認識することができる。また、この位置監視システムによれば、施設１０内における人の動きを追跡しその情報をメモリに蓄積することができる。
【００１７】
この位置監視システムは、識別子（位置ＩＤ）３２を有する識別部材３０の設置コストをきわめて低く抑えることができる点で優れており、位置の特定精度を高めたい場合には、単純に識別部材３０の設置箇所を増やし、その識別部材３０に割り当てる識別子を位置テーブル２２１に登録すればよい。
【図面の簡単な説明】
【００１８】
【図１】本発明の好適な実施形態の位置監視システムの概略構成を示す図である。
【図２】識別部材を模式的に示す図である。
【図３】携帯端末の構成例を示す図である。
【図４】監視装置の構成例を示す図である。
【図５】位置テーブルを模式的に示す図である。
【図６】端末テーブルを模式的に示す図である。
【符号の説明】
【００１９】
１０  施設
１２、１４、１６、１８、２０、２２、２４  ブロック
２６  ブロック（監視室）
３０  識別部材
３２  識別子（位置ＩＤ）
６０  監視装置
７０  携帯端末
２２１  位置テーブル
２２２  端末テーブル
【図１】
2009065470.tif 000003
【図２】
2009065470.tif 000004
【図３】
2009065470.tif 000005
【図４】
2009065470.tif 000006
【図５】
2009065470.tif 000007
【図６】
2009065470.tif 000008